(57)【要約】【課題】親局装置と子局装置間が広域通信網で接続されている遠方監視制御装置では、通話機能を設けると装置コストや保守コストが大きくなる。また、保守作業に携行が必要なデータ端末は可搬性が悪い。【解決手段】保守データを蓄積し、広域通信網２１で接続され、信号を互いに伝送する親局装置１と子局装置３１とを備える遠方監視制御装置において、親局装置１と子局装置３１は、保守用データ端末５１、５３を接続するためのインタフェースを備え、保守用データ端末５１、５３を介して、親局装置１または子局装置３１から保守データを読み出し、且つ親局装置１または子局装置３１に保守データを書き込み可能とし、保守用データ端末５１、５３の記憶部に保守データを保存可能とし、広域通信網２１を介して、保守用データ端末５１または５３から入力した文字列を保守用データ端末５３または５１に表示する。【選択図】図１
2010081175.tif 000002
【特許請求の範囲】
【請求項１】
親局装置と、１つまたは複数の子局装置とを備え、前記親局装置と前記子局装置は、保守データを蓄積し、広域通信網で接続され、計測信号や機器設備の状態信号または操作信号を前記親局装置・前記子局装置間で伝送する遠方監視制御装置において、
前記親局装置と前記子局装置は、保守用データ端末を接続するためのインタフェースを備え、
この保守用データ端末を介して、前記親局装置または前記子局装置から前記保守データを読み出し、且つ前記親局装置または前記子局装置に前記保守データを書き込み可能とし、この保守用データ端末の記憶部に前記保守データを保存可能とし、
前記親局装置に接続した保守用データ端末から入力した文字列を、前記広域通信網を介して前記子局装置に接続した保守用データ端末に表示し、
前記子局装置に接続した保守用データ端末から入力した文字列を、前記広域通信網を介して前記親局装置に接続した保守用データ端末に表示することを特徴とする遠方監視制御装置。
【請求項２】
請求項１記載の遠方監視制御装置において、
前記保守用データ端末は、携帯無線端末であり、
前記親局装置と前記子局装置は、この携帯無線端末と接続するインタフェースとして近距離無線データ通信インタフェースを備える遠方監視制御装置。
【請求項３】
請求項２記載の遠方監視制御装置において、
前記近距離無線データ通信インタフェースは、赤外線による無線データ通信インタフェースである遠方監視制御装置。
【請求項４】
請求項２記載の遠方監視制御装置において、
前記近距離無線データ通信インタフェースは、２．４ＧＨｚ帯電波による無線データ通信インタフェースである遠方監視制御装置。
【請求項５】
請求項２記載の遠方監視制御装置に用いる保守用データ端末であって、前記携帯無線端末により構成される前記保守用データ端末は、
前記親局装置または前記子局装置から前記保守データを読み出し表示する手段と、
前記親局装置または前記子局装置に前記保守データを書き込み設定する手段と、
前記保守データを保存する記憶部と、
前記親局装置または前記子局装置から前記広域通信網を介して前記文字列を受信して表示するアプリケーションプログラムとを有することを特徴とする遠方監視制御装置の保守用データ端末。
【請求項６】
請求項５記載の保守用データ端末を用いる遠方監視制御装置の保守システムにおいて、
前記携帯無線端末上で動作する遠方監視制御装置の保守用アプリケーションプログラムを、前記携帯無線端末から接続可能なインターネットを介して前記遠方監視制御装置の製造業者または保守事業者に設置した保守用データサーバから前記携帯無線端末へダウンロードする機能と、
前記遠方監視制御装置の親局装置または子局装置の保守データを、前記携帯無線端末から接続可能なインターネットを介して前記遠方監視制御装置の製造業者または保守事業者に設置した保守用データサーバへ前記携帯無線端末から送信し格納する機能とを備えることを特徴とする遠方監視制御装置の保守システム。
【発明の詳細な説明】
【技術分野】
【０００１】
本発明は、水道計装システムなどに使用される遠方監視制御装置のように親局装置と子局装置とに分かれ、両者を電話回線、専用回線、または広域ＩＰ網に代表される広域通信網により接続して、子局装置側にある計測信号、機器設備の状態信号、または操作信号を伝送する遠方監視制御装置に関する。また、遠方監視制御装置の保守業務を行う保守システムに関する。
【背景技術】
【０００２】
親局装置と子局装置との間で通信する遠方監視制御装置では、一般的に、監視・制御対象となる機場に子局装置が１台設置され、その機場内に設置されている水位計、流量計、ポンプ、操作器などの末端機器設備の計測信号、状態信号、または操作信号を、末端機器と子局装置間で入出力取り合いしている。さらに、子局装置は、複数の機場に点在設置され、中央監視制御所に設置される親局装置との間で広域通信網を介してデータ通信を行っている。このデータ通信により、中央監視所にて機場の集中監視や制御を実現している。この種の遠方監視制御装置として、特許文献１に記載の技術がある。
【０００３】
このような遠方監視制御装置や計装機器を保守する場合、保守作業時に発生する保守員間の通話連絡を目的に、遠方監視制御装置に通話機能を設けておくことが一般的である。特許文献２には、この種の技術の例が記載されている。
【０００４】
また、通話連絡用として、遠方監視制御装置とは別に通話回線を設けることが一般的である。また、最近では保守員間の通話連絡手段として、広く普及している携帯電話を用いることも一般的になってきた。
【０００５】
さらに、遠方監視制御装置の保守サポート機能として、遠方監視制御装置で検出した各種の異常履歴や稼動状況を保守データとして遠方監視制御装置内部に蓄積し、装置の内部データを読み出し、書き込みができる機能を備えていることが一般的になっている。このような遠方監視制御装置の保守データは、保守ツールとしてノート型パソコンを代表とする可搬型のデータ端末で確認や操作することが一般的である。
【０００６】
【特許文献１】特開２０００−１３４３４９号公報
【特許文献２】特開昭６１−２８８５３５号公報
【発明の開示】
【発明が解決しようとする課題】
【０００７】
上記従来技術によると、保守作業時に発生する保守員間の通話連絡という目的のためだけに遠方監視制御装置に通話機能を設けておく必要がある。また、適用する広域通信網の種類や親局装置と子局装置間の通信方式によっては、遠方監視制御装置に通話機能が具備できない場合があり、その場合、別途、通話装置を設ける必要がある。これらの場合には、遠方監視制御装置が高価になってしまう。
【０００８】
また、保守員間の通話連絡手段として、広く普及している携帯電話を用いることも一般的になってきているが、この種の遠方監視制御装置、特に子局装置は、設置場所が必ずしも市街地とは限らず、人口密度の低い僻地に設置される場合もある。したがって、携帯電話の通話サービス圏外であることも多いため、必ずしも携帯電話で通話連絡ができるとは限らない。
【０００９】
また、特に子局装置は、車両で行くことが不可能な山間部に設置される場合もあり、保守作業のために携行が必要な機材はできる限り少なくかつ小型であることが望ましい。しかし、各種の測定器などの機材とともに、可搬型とは言えノート型パソコンを携行することは、保守員にとっては望ましいとは言えない。
【００１０】
本発明の目的は、以上記した課題を解決することにある。
【課題を解決するための手段】
【００１１】
上記の課題を解決するために、本発明は基本的には次のような構成をとる。
【００１２】
親局装置と、１つまたは複数の子局装置とを備え、前記親局装置と前記子局装置は、保守データを蓄積し、広域通信網で接続され、計測信号や機器設備の状態信号または操作信号を前記親局装置・前記子局装置間で伝送する遠方監視制御装置において、前記親局装置と前記子局装置は、保守用データ端末を接続するためのインタフェースを備え、この保守用データ端末を介して、前記親局装置または前記子局装置から前記保守データを読み出し、且つ前記親局装置または前記子局装置に前記保守データを書き込み可能とし、この保守用データ端末の記憶部に前記保守データを保存可能とし、前記親局装置に接続した保守用データ端末から入力した文字列を、前記広域通信網を介して前記子局装置に接続した保守用データ端末に表示し、前記子局装置に接続した保守用データ端末から入力した文字列を、前記広域通信網を介して前記親局装置に接続した保守用データ端末に表示することを特徴とする。
【００１３】
また、前記保守用データ端末は、携帯無線端末であり、前記親局装置と前記子局装置は、この携帯無線端末と接続するインタフェースとして近距離無線データ通信インタフェースを備える。
【００１４】
さらに、前記携帯無線端末により構成される前記保守用データ端末は、前記親局装置または前記子局装置から前記保守データを読み出し表示する手段と、前記親局装置または前記子局装置に前記保守データを書き込み設定する手段と、前記保守データを保存する記憶部と、前記親局装置または前記子局装置から前記広域通信網を介して前記文字列を受信して表示するアプリケーションプログラムとを有することを特徴とする。
【００１５】
さらに、前記保守用データ端末を用いる遠方監視制御装置の保守システムにおいて、前記携帯無線端末上で動作する遠方監視制御装置の保守用アプリケーションプログラムを、前記携帯無線端末から接続可能なインターネットを介して前記遠方監視制御装置の製造業者または保守事業者に設置した保守用データサーバから前記携帯無線端末へダウンロードする機能と、前記遠方監視制御装置の親局装置または子局装置の保守データを、前記携帯無線端末から接続可能なインターネットを介して前記遠方監視制御装置の製造業者または保守事業者に設置した保守用データサーバへ前記携帯無線端末から送信し格納する機能とを備えることを特徴とする。
【発明の効果】
【００１６】
本発明によれば、保守連絡のために遠方監視制御装置に通話機能を設ける必要がないため、装置コストを低減できるという効果がある。また、通話が不可能な広域通信網や通信方式の場合や、携帯電話がサービス圏外の地域の場合でも保守連絡ができるという効果がある。また、保守用データ端末として携帯電話が使用できるため、保守作業に携行が必要な機材を軽減できるという効果もある。さらに、保守用データ端末の機能プログラムの配信および保守作業で取得した保守情報を一元管理できることで、保守管理業務が容易になり保守コストを低減できるという効果がある。
【発明を実施するための最良の形態】
【００１７】
本発明の実施例を図１から図８を用いて説明する。
【００１８】
図１は、本発明の実施例における遠方監視制御装置のシステム構成を示す図である。図１を用いて本遠方監視制御装置の構成と動作の概略を説明する。
【００１９】
本遠方監視制御装置は、オペレータズコンソール７、中央監視制御所ネットワーク６、親局装置１、広域通信網２１、２２、子局装置３１、３２を備える。親局装置１は親局側保守用データ端末５１と、子局装置３１、３２は子局側保守用データ端末５３とそれぞれ接続し、データを送受信する。なお、本実施例では子局装置は２台であるが、３台以上備えていてもよい。広域通信網など子局装置に関連する機器設備も、子局装置の台数に応じて増やすことができる。
【００２０】
オペレータズコンソール７は、中央監視制御所ネットワーク６を介して親局装置１と接続しており、親局装置１内に形成されている子局装置３１、３２の入出力信号イメージに対し、読み出し、書き込みを周期的に行う。また、グラフィカルユーザインタフェースを備え、親局装置１から取得したデータにより点在する機器設備の運転状況を表示するとともに、オペレータの操作により機器設備の操作器などを遠隔操作する。さらに、運転データの帳票の作成、印刷、保存、解析などを行い、機器設備を安全、的確、かつ効率的に運転できるように情報提供するように構成されている。
【００２１】
親局装置１は、広域通信網２１、２２を介してそれぞれ子局装置３１、３２と接続しており、サイクリックデジタル伝送またはポーリングなどの通信方式により、子局装置３１、３２の入出力信号イメージを親局装置１の内部メモリ上に周期的に形成する。また、子局装置３１、３２が検出した警報信号をイベント受信する機能を合わせ持つ。
【００２２】
子局装置３１、３２は、各種機器設備と接続して信号を送受信する。たとえば、流量計や水位計に代表されるアナログ計測機器４１１、４１２、および水位のレベルスイッチやポンプ状態監視センサなどに代表される状態監視センサ４２１、４２２とそれぞれ接続し、機器設備の運転状況を示す入力信号を計測、検知する。また、ポンプなどの操作器４３１、４３２とそれぞれ接続し、親局装置１から送信されてくる制御信号を出力する。
【００２３】
親局装置１および子局装置３１、３２は、異常診断、通信異常診断、電源異常診断など装置自体の診断機能を持ち、診断異常を検出したときに警報出力および警報通知するとともに装置内のメモリ上に異常履歴として蓄積する。また、装置構成部に比較的短寿命な部分がある場合は、その部分の稼動時間などを計測して装置内のメモリ上に保持し、寿命設計値に対して残存時間がどの位あるかを監視する。異常履歴や稼動時間計測値は、保守員またはユーザが行う装置の的確かつ迅速な保守対応や予防保全のための保守データとして重要なデータである。
【００２４】
親局側保守用データ端末５１は、親局装置１と赤外線通信などの近距離無線通信で接続し、異常履歴や稼動時間計測値などの保守データの読み出しや書き込み、設定、および保存を行う。
【００２５】
子局側保守用データ端末５３は、子局装置３１と赤外線通信などの近距離無線通信で接続し、異常履歴や稼動時間計測値などの保守データの読み出しや書き込み、設定、および保存を行う。
【００２６】
親局側保守用データ端末５１および子局側保守用データ端末５３は、携帯電話を利用でき、携帯電話網からインターネット網９を介して、親局装置１および子局装置３１、３２の製造業者または保守事業者に設置してある保守データサーバ８との接続が可能である。以下、特に断りのない限り、親局側保守用データ端末５１および子局側保守用データ端末５３は、携帯電話を利用したタイプである親局側携帯電話タイプ保守用データ端末５１および子局側携帯電話タイプ保守用データ端末５３とする。
【００２７】
次に、図２に示す本発明の実施例における親局装置の構成図を用いて、親局装置１の構成と動作について説明する。
【００２８】
親局装置１は、電源部１００、演算回路部１０１、上位ネットワークインタフェース１０２、保守用通信インタフェース１０３、保守用近距離無線通信インタフェース１０４、および対子局通信インタフェース１１１、１１２を備える。なお、対子局通信インタフェースの数は、図１に示した子局装置数に合わせて２台としてあるが、子局装置の台数に応じて増やすことができる。
【００２９】
電源部１００は、商用電源を受電して親局装置１内で使用する内部電源を生成し、親局装置１の各構成要素に電源を供給する。
【００３０】
演算回路部１０１は、マイクロプロセッサおよびメモリを中核にした論理演算回路で構成されており、親局装置１全体の動作およびデータフローを統括的にコントロールする。
【００３１】
上位ネットワークインタフェース１０２は、ＩＥＥＥ８０２．３規格に代表されるＬＡＮ（ローカルエリアネットワーク）をサポートするインタフェースであり、中央監視制御所ネットワーク６を介してオペレータズコンソール７（図１参照）と接続するためのインタフェースである。
【００３２】
対子局通信インタフェース１１１、１１２は、ＩＴＵ−Ｔ（国際電気通信連合の電気通信標準化部門）のＶシリーズ勧告モデムに代表される遠隔通信をサポートするインタフェースであり、広域通信網２１、２２を介して子局装置３１、３２（図１参照）にそれぞれ接続する。
【００３３】
保守用通信インタフェース１０３は、ＲＳ−２３２Ｃシリアル通信に代表される有線通信インタフェースで構成されており、親局側保守用データ端末との通信をサポートする。
【００３４】
保守用近距離無線通信インタフェース１０４は、ＩｒＤＡ仕様に代表される赤外線利用の近距離データ通信やＢｌｕｅｔｏｏｔｈ（登録商標）仕様に代表される２．４ＧＨｚ帯電波利用の近距離データ通信をサポートするインタフェースであり、親局側携帯電話タイプ保守用データ端末５１と接続する。また、保守用近距離無線通信インタフェース１０４は、保守用通信インタフェース１０３と外部コネクタを介してシリアル通信信号を送受信し、有線データ通信信号と近距離データ無線通信信号とを相互に変換する。
【００３５】
保守用通信インタフェース１０３と保守用近距離無線通信インタフェース１０４間を外部コネクタを介して接続することにより、有線で接続する保守用データ端末を使用することも可能である。図２では、有線で接続する保守用データ端末として、親局側ノート型ＰＣタイプ保守用データ端末５２を接続した例を示している。
【００３６】
次に、図３に示す本発明の実施例における子局装置の構成図を用いて、子局装置３１の構成と動作について説明する。なお、子局装置３２も同様の構成と動作にすることができる。
【００３７】
子局装置３１は、電源部３１０、演算回路部３１１、対親局通信インタフェース３１２、アナログ入力部３１５、ディジタル入力部３１６、パルス入力部３１７、ディジタル出力部３１８、アナログ出力部３１９、保守用通信インタフェース３１３、および保守用近距離無線通信インタフェース３１４を備える。
【００３８】
電源部３１０は、商用電源を受電して子局装置３１内で使用する内部電源を生成し、子局装置３１の各構成要素に電源を供給する。
【００３９】
演算回路部３１１は、マイクロプロセッサおよびメモリを中核にした論理演算回路で構成されており、子局装置３１全体の動作およびデータフローを統括的にコントロールする。
【００４０】
対親局通信インタフェース３１２は、ＩＴＵ−ＴのＶシリーズ勧告モデムに代表される遠隔通信をサポートするインタフェースであり、広域通信網２１を介して親局装置１（図１参照）に接続する。
【００４１】
アナログ入力部３１５は、流量計または水位計に代表されるアナログ計測機器４１１からのアナログ計測信号を入力する。アナログ計測信号は、ＤＣ４〜２０ｍＡまたはＤＣ１〜５Ｖに代表される規格化された信号である。アナログ入力部３１５は、入力されたアナログ計測信号を、その大きさに比例し、かつ、正規化したディジタル値に変換する。
【００４２】
ディジタル入力部３１６は、ポンプなど機器の運転状態や水位レベルスイッチなどの警報状態を示す状態監視センサ４２１からの状態信号を入力する。状態信号は、ＯＮ／ＯＦＦディジタル信号であり、物理的にはリレー接点信号に代表されるＯＮ／ＯＦＦ信号である。
【００４３】
パルス入力部３１７は、流量計に代表されるパルス計測機器４４１からのパルス計測信号を入力して流量積算など積算量を計測する場合に用いられ、一般に１２〜１６ビットのカウンタで構成される。
【００４４】
ディジタル出力部３１８は、ポンプなどの操作器４３１へ運転指令を行う操作信号を出力する。操作信号は、物理的にはリレー接点信号に代表されるＯＮ／ＯＦＦ信号である。
【００４５】
アナログ出力部３１９は、主に調節計４５１などのローカル制御装置に対する設定値の出力として、ＤＣ４〜２０ｍＡまたはＤＣ１〜５Ｖに代表される規格化された信号を出力する。
【００４６】
演算回路部３１１は、アナログ入力部３１５、ディジタル入力部３１６、パルス入力部３１７、ディジタル出力部３１８、およびアナログ出力部３１９のイメージを内部に持つ。そして、アナログ入力部３１５、ディジタル入力部３１６、パルス入力部３１７の各入力値を周期的に収集して、内部のイメージ領域をリフレッシュする。ディジタル出力部３１８とアナログ出力部３１９に対しては、逆に、内部のイメージ領域の内容を元に周期的に書き込みを行う。
【００４７】
保守用通信インタフェース３１３は、ＲＳ−２３２Ｃシリアル通信に代表される有線通信インタフェースで構成されており、子局側保守用データ端末との通信をサポートする。
【００４８】
保守用近距離無線通信インタフェース３１４は、ＩｒＤＡ仕様に代表される赤外線利用の近距離データ通信やＢｌｕｅｔｏｏｔｈ仕様に代表される２．４ＧＨｚ帯電波利用の近距離データ通信をサポートするインタフェースであり、子局側携帯電話タイプ保守用データ端末５３と接続する。また、保守用近距離無線通信インタフェース３１４は、保守用通信インタフェース３１３と外部コネクタを介してシリアル通信信号を送受信し、有線データ通信信号と近距離データ無線通信信号とを相互に変換する。
【００４９】
保守用通信インタフェース３１３と保守用近距離無線通信インタフェース３１４間を外部コネクタを介して接続することにより、有線で接続する保守用データ端末を使用することも可能である。図３では、有線で接続する保守用データ端末として、子局側ノート型ＰＣタイプ保守用データ端末５４を接続した例を示している。
【００５０】
次に、本発明の実施例における保守作業中の運用方法の一例について、図４を用いて説明する。
【００５１】
図４は、ループチェック作業の場面を表わした図である。親局装置１と子局装置３１とは広域通信網２１を介して接続され、保守員が親局装置１側と子局装置３１側とに分かれて配置される。子局装置３１側の保守員は、模擬信号発生装置５５を用いて子局装置３１にアナログ信号を入力し、親局装置１側の保守員は、このアナログ信号が親局装置１に正しく伝送されていることを確認する。
【００５２】
親局装置１は、親局装置１側の保守員が持つ親局側携帯電話タイプ保守用データ端末５１と、赤外線データ通信により接続している。一方、子局装置３１は、子局装置３１側の保守員が持つ子局側携帯電話タイプ保守用データ端末５３と、赤外線データ通信により接続している。
【００５３】
親局側と子局側の携帯電話タイプ保守用データ端末５１、５３の入出力モニタ画面５００４上には、入出力モニタ、受信メッセージ、および送信メッセージの表示エリアがある。入出力モニタエリアには、現在、入力されているデータが表示される。受信メッセージエリアには、相手保守員から受信したメッセージが文字列で表示される。送信メッセージエリアには、保守連絡のために相手保守員に知らせたいメッセージが表示される。このメッセージは、送信メッセージエリアに文字列をキー入力して、表示、送信することができる。
【００５４】
親局側携帯電話タイプ保守用データ端末５１の入出力モニタ画面５００４上の送信メッセージエリアにキー入力された文字列は、親局側携帯電話タイプ保守用データ端末５１から赤外線データ通信を介して親局装置１へ送られ、さらに、広域通信網２１を介して子局装置３１へ伝送される。子局装置３１は、広域通信網２１から受信した文字列を、赤外線データ通信を介して子局側携帯電話タイプ保守用データ端末５３へ送る。子局側携帯電話タイプ保守用データ端末５３は、入出力モニタ画面５００４上の受信メッセージエリアにこの文字列を表示する。
【００５５】
同様に、子局側携帯電話タイプ保守用データ端末５３の入出力モニタ画面５００４上の送信メッセージエリアにキー入力された文字列は、子局側携帯電話タイプ保守用データ端末５３から赤外線データ通信を介して子局装置３１へ送られて、さらに、広域通信網２１を介して親局装置１へ伝送される。親局装置１は、広域通信網２１から受信した文字列を、赤外線データ通信を介して親局側携帯電話タイプ保守用データ端末５１へ送る。親局側携帯電話タイプ保守用データ端末５１は、入出力モニタ画面５００４上の受信メッセージエリアにこの文字列を表示する。
【００５６】
次に、文字列の伝送手段について、図５を用いて説明する。図５は、本発明の実施例における伝送タイムチャートの一例を示す図である。
【００５７】
まず、親局装置１の伝送タイムチャートについて説明する。親局装置１は、子局装置３１へ親局装置送信伝文１０００をサイクリックに伝送している。親局装置送信伝文１０００は、制御入力に応じて変化する値を時間経緯で区切った制御伝送伝文１００１、１００２、１００３、１００４、・・・のタイムスロットで構成される。
【００５８】
親局側携帯電話タイプ保守用データ端末５１でキー入力された文字列５１０１は、親局装置１に伝送される。親局装置１は、伝送された文字列５１０１を検知後、次に送信する制御伝送伝文１００２タイムスロットと制御伝送伝文１００３タイムスロットとの間に文字列５１０１を割り込ませて、文字列伝文１５１０１として送信する。
【００５９】
子局装置３１の伝送タイムチャートも同様である。すなわち、子局装置３１は、親局装置１へ子局装置送信伝文３１００をサイクリックに伝送している。子局装置送信伝文３１００は、監視入力に応じて変化する値を時間経緯で区切った監視伝送伝文３１０１、３１０２、３１０３、３１０４、・・・のタイムスロットで構成される。
【００６０】
子局側携帯電話タイプ保守用データ端末５３でキー入力された文字列５３０１は、子局装置３１に伝送される。子局装置３１は、伝送された文字列５３０１を検知後、次に送信する監視伝送伝文３１０３タイムスロットと監視伝送伝文３１０４タイムスロットとの間に文字列５３０１を割り込ませて、文字列伝文３１５３０１として送信する。
【００６１】
文字列伝文３１５３０１は、識別コード３１５３０１−１、文字列コード３１５３０１−２、およびデリミタ３１５３０１−３で構成される。識別コード３１５３０１−１は、監視伝送伝文および制御伝送伝文と文字列伝文とを受信側で識別するためのコードである。文字列コード３１５３０１−２は、文字列をＪＩＳコードに代表される文字コードで表現するコードである。デリミタ３１５３０１−３は、文字列の終りを表わすコードである。
【００６２】
親局装置１および子局装置３１は、広域通信網２１から受信した文字列伝文を、接続した保守用データ端末へそれぞれ転送する。保守用データ端末は、受信した文字列伝文を受信メッセージとして表示する。
【００６３】
これにより、保守員間の連絡方式が通話伝送を許容しない広域通信網や通信方式であっても、また、携帯電話の電波状況が悪く通話サービス圏外となってしまう場所に遠方監視制御装置が設置されている場合であっても、遠方監視制御装置の保守員間の連絡を文字列のメッセージで行うことができる。また、遠方監視制御装置自体に通話機能が不要になることから、装置コストが低減できる。
【００６４】
近年、携帯電話は、電子メール機能、インターネットへの接続機能、表示操作画面の大型化および高精細化、アプリケーションプログラムの組み込みおよび動作機能、外部記憶媒体とのインタフェース機能、ならびに他機器との近距離無線通信インタフェース機能などを備え、単なる無線電話機というよりはモバイル情報端末として、また、ビジネスツールとして広く普及してきた。本実施例では、携帯電話上で動作するアプリケーションプログラムにより、遠方監視制御装置の保守サポート機能を構成している。これにより、上記の機能を備えた携帯電話を遠方監視制御装置の保守用データ端末として使用でき、保守員が携行しなければならない保守機材の少量化や軽量化が実現できる。
【００６５】
図６に、本発明に適用できる携帯電話タイプ保守用データ端末の構成の一例を示す。以下、本携帯電話タイプ保守用データ端末の構成要素を説明する。
【００６６】
アンテナ５１１は、携帯電話無線の電波を検波および送波する。
【００６７】
無線信号処理部５１２は、携帯電話無線の受信信号および送信信号を処理する。
【００６８】
アナログベースバンド処理部５１３は、無線信号処理部５１２からの通話音声のアナログベースバンド受信信号により通話用スピーカ５１４を駆動し、また、通話用マイク５１５によりピックアップした音声信号をアナログベースバンド送信信号に変換して無線処理部５１２に送る。
【００６９】
デジタルベースバンド処理プロセッサ５１６は、アナログベースバンド処理部５１３、液晶表示コントローラ５１８、キースイッチ入力部５２０を統括してコントロールするように働き、発着信、表示、キー操作などの携帯電話の基本機能をコントロールする。
【００７０】
フラッシュＲＯＭ５２１は、デジタルベースバンド処理プロセッサ５１６で動作するプログラムやデータを格納している。
【００７１】
ＳＲＡＭ５２２は、デジタルベースバンド処理プロセッサ５１６で使用する一時記憶メモリであり、プロセッサ演算処理で使用する。
【００７２】
液晶表示器５１７は、液晶表示コントローラ５１８により各種情報を表示する。
【００７３】
キースッチ群５１９は、携帯電話に配置される各種の押しボタンスイッチであり、キースイッチ入力部５２０でスイッチのＯＮ／ＯＦＦを取り込む。
【００７４】
アプリケーション処理プロセッサ５２３は、赤外線通信コントローラ５２７、外部メモリインタフェース５２９、電源コントローラ５３０を統括してコントロールするように働き、携帯電話の主に付加機能をコントロールする。
【００７５】
フラッシュＲＯＭ５２４は、アプリケーション処理プロセッサ５２３で動作するプログラムやデータを格納している。
【００７６】
ＳＲＡＭ５２５は、アプリケーション処理プロセッサ５２３で使用する一時記憶メモリであり、プロセッサ演算処理で使用する。
【００７７】
赤外線通信用発光部／受光部５２６は、赤外線通信コントローラ５２７からの赤外線通信の送信信号に応じて発光し、また、外部機器からの赤外線通信の受信光信号を受光して赤外線通信コントローラ５２７へ受信信号を渡す。
【００７８】
外部メモリカード５２８は、容易に着脱可能な記憶媒体であり、外部メモリインタフェース５２９により読み出し動作、書き込み動作が行われる。
【００７９】
バッテリ５３２は、リチウムイオン電池に代表される小型・軽量の二次電池であり、電源コントローラ５３０により充電、放電、残量監視のコントロールが行われる。
【００８０】
外部電源コネクタ５３１は、バッテリ５３２を充電する電力を外部から供給するコネクタである。
【００８１】
アプリケーション処理プロセッサ５２３は、アプリケーションプログラムを実行可能な機能を備える。携帯電話には、アプリケーションプログラムにより、製造者が予め組み込んだ機能のみでなく、利用者が制限内で自由に付加機能を組み込むことができる。本発明で用いる保守用アプリケーションプログラムは、アプリケーション処理プロセッサ５２３上で動作する。
【００８２】
また、アプリケーション処理プロセッサ５２３は、デジタルベースバンド処理プロセッサ５１６とのデータ転送機能を備えていて、携帯電話の基本機能である液晶表示器５１７、キースイッチ群５１９、および携帯電話通信ともリンクして動作することができる。なお、付加機能として、デジタルカメラ機能、音楽再生機能、地上波デジタルテレビ放送受像機能、近距離電波利用の通信機能を備えていても構わない。
【００８３】
次に、本発明の実施例における携帯電話タイプ保守用データ端末の運用について、図７を用いて説明する。図７は、本実施例におけるアプリケーションプログラム配信と保守情報管理の運用形態を示す図である。
【００８４】
遠方監視制御装置の製造業者または保守事業者に設置した保守データサーバ８は、携帯電話から接続可能なインターネット網９に接続している。保守データサーバ８には、保守用携帯電話アプリケーションプログラムをダウンロードにより提供する機能と、保守情報データベース機能とを備えている。
【００８５】
親局側と子局側の携帯電話タイプ保守用データ端末５１、５３は、携帯電話から接続可能なインターネット網９を介して保守データサーバ８に接続されている。したがって、保守員は、携帯電話タイプ保守用データ端末５１、５３を用いて開示されているＩＤなどを入力することで、所望のアプリケーションプログラムを保守データサーバ８からダウンロードすることが可能である。また、保守作業中に取得した遠方監視制御装置の保守情報を携帯電話タイプ保守用データ端末５１、５３に備えている外部メモリに保存しておき、必要な項目を保守員ＩＤ、顧客名、保守作業を実施した機場名などとともに保守データサーバ８へアップロードすることも可能である。
【００８６】
図７には、携帯電話タイプ保守用データ端末５１、５３のアプリケーションプログラムダウンロード画面５００１および保守情報アップロード画面５０１２の例も示した。
【００８７】
保守データサーバ８は、アップロードされた上記の保守情報を保守情報データベースへ格納する。保守データベースに格納した情報により、トラブル発生時の解析が迅速に行える他、予防保全計画および装置の更新提案が的確に行うことができ、保守コストの最適化を図ることができる。
【００８８】
次に、本発明の実施例における保守用データ端末に組み込んだアプリケーションプログラムの機能の全体サマリーを、図８を用いて説明する。図８は、本発明の実施例における保守用データ端末の画面遷移の一例を示す図である。
【００８９】
アプリケーションプログラムダウンロード画面５００１からアプリケーションプログラムをダウンロード後、アプリケーションプログラムを起動実行すると、アプリケーションプログラムメインメニュー画面５００２に遷移する。
【００９０】
アプリケーションプログラムメインメニュー画面５００２では、利用者（保守員）が実行したい機能を選択すると、各機能の画面へ遷移する。以下、各機能の画面について、説明する。
【００９１】
利用者が保守対象の装置の入出力状態をモニタリングする場合は、入出力モニタ機能の選択により、入出力モニタサブメニュー画面５００３へ遷移する。入出力モニタサブメニュー画面５００３は、保守対象の親局装置１または子局装置３１、３２にある入出力データのブロック単位で利用者にモニタリングしたいブロックを選択させ、選択された入出力データブロックの入出力モニタ画面５００４へ遷移する。
【００９２】
入出力モニタ画面５００４は、入出力データを表示する。入出力データの最新値を表示する場合は、利用者の更新操作により赤外線通信を起動して、保守対象の親局装置１または子局装置３１、３２と赤外線通信接続する。
【００９３】
この時、一時的に赤外線通信状態表示画面５０１０に遷移して、赤外線通信が正常に行われているかを利用者に知らしめる。赤外線通信が正常完了した場合、入出力モニタ画面５００４へ戻り、更新した入出力データを表示する。赤外線通信が異常タイムアウトした場合は、利用者に再試行またはキャンセルを選択させて、再試行が選択された場合は赤外線通信の再起動を行い、キャンセルが選択された場合は元の入出力モニタ画面５００４へ戻る。
【００９４】
利用者が表示した入出力データを保存する場合は、保存操作により一時的にファイル保存画面５０１１へ遷移して、保存先としてデータ端末本体のメモリか外部メモリカードかを利用者に選択させて、選択された記憶媒体に入出力データを保存する。その後、保存が正常に完了したか否かを利用者に知らしめる。保存が正常に完了した場合、入出力モニタ画面５００４へ戻る。保存が失敗した場合は、利用者に再試行またはキャンセルを選択させて、再試行が選択された場合は再度、保存を試みる。キャンセルが選択された場合は、元の入出力モニタ画面５００４へ戻る。
【００９５】
利用者が入出力状態のモニタリングを終了する場合は、メニュー操作により入出力モニタサブメニュー画面５００３へ遷移し、さらにメニュー操作によりアプリケーションプログラムメインメニュー画面５００２に遷移する。
【００９６】
利用者が保守対象の装置にある出力データを模擬的に変更して出力部の動作チェックを行う場合は、アプリケーションプログラムメインメニュー画面５００２から模擬出力設定機能の選択により、模擬出力設定サブメニュー画面５００５へ遷移する。
【００９７】
模擬出力設定サブメニュー画面５００５は、保守対象の親局装置１または子局装置３１、３２にある出力データのブロック単位で利用者に出力チェックしたいブロックを選択させ、選択された出力データブロックの模擬出力設定画面５００６へ遷移する。
【００９８】
模擬出力設定画面５００６は、現在の出力データを表示する。出力データを模擬的に変更させる場合は、利用者の変更操作により出力データを変更し、利用者の更新操作により赤外線通信を起動して、保守対象の親局装置１または子局装置３１、３２と赤外線通信接続する。
【００９９】
この時、一時的に赤外線通信状態表示画面５０１０に遷移して、赤外線通信が正常に行われているかを利用者に知らしめる。赤外線通信が正常完了した場合、模擬出力設定画面５００６へ戻り、利用者は保守対象の装置の出力を動作チェックする。赤外線通信が異常タイムアウトした場合は、利用者に再試行またはキャンセルを選択させて、再試行が選択された場合は赤外線通信の再起動を行い、キャンセルが選択された場合は元の模擬出力設定画面５００６へ戻る。
【０１００】
利用者が模擬出力設定を終了する場合はメニュー操作により模擬出力設定サブメニュー画面５００５へ遷移し、さらにメニュー操作によりアプリケーションプログラムメインメニュー画面５００２に遷移する。
【０１０１】
利用者が保守対象の装置の異常履歴をモニタリングする場合は、異常履歴モニタ機能の選択により、異常履歴モニタ画面５００７へ遷移する。異常履歴モニタ画面５００７は、異常履歴データを表示する。異常履歴データの最新値を表示させる場合は、利用者の更新操作により赤外線通信を起動して、保守対象の親局装置１または子局装置３１、３２と赤外線通信接続する。
【０１０２】
この時、一時的に赤外線通信状態表示画面５０１０に遷移して、赤外線通信が正常に行われているかを利用者に知らしめる。赤外線通信が正常完了した場合、異常履歴モニタ画面５００７へ戻り、更新した異常履歴データを表示する。赤外線通信が異常タイムアウトした場合は、利用者に再試行またはキャンセルを選択させて、再試行が選択された場合は赤外線通信の再起動を行い、キャンセルが選択された場合は元の異常履歴モニタ画面５００７へ戻る。
【０１０３】
利用者が表示した異常履歴データを保存する場合は、保存操作により一時的にファイル保存画面５０１１へ遷移して、保存先としてデータ端末本体のメモリか外部メモリカードかを利用者に選択させて、選択された記憶媒体に異常履歴データを保存する。その後、保存が正常に完了したか否かを利用者に知らしめる。保存が正常に完了した場合、異常履歴モニタ画面５００７へ戻る。保存が失敗した場合は、利用者に再試行またはキャンセルを選択させて、再試行が選択された場合は再度、保存を試みる。キャンセルが選択された場合は、元の異常履歴モニタ画面５００７へ戻る。
【０１０４】
利用者が異常履歴のモニタリングを終了する場合は、メニュー操作によりアプリケーションプログラムメインメニュー画面５００２に遷移する。
【０１０５】
利用者が保守対象の装置の稼動時間をモニタリングする場合は、稼動時間モニタ機能の選択により、稼動時間モニタ画面５００８へ遷移する。稼動時間モニタ画面５００８は、稼動時間データを表示する。稼動時間データの最新値を表示させる場合は、利用者の更新操作により赤外線通信を起動して、保守対象の親局装置１または子局装置３１、３２と赤外線通信接続する。
【０１０６】
この時、一時的に赤外線通信状態表示画面５０１０に遷移して、赤外線通信が正常に行われているかを利用者に知らしめる。赤外線通信が正常完了した場合、稼動時間モニタ画面５００８へ戻り、更新した稼動時間データを表示する。赤外線通信が異常タイムアウトした場合は、利用者に再試行またはキャンセルを選択させて、再試行が選択された場合は赤外線通信の再起動を行い、キャンセルが選択された場合は元の稼動時間モニタ画面５００８へ戻る。
【０１０７】
利用者が表示した稼動時間データを保存する場合は、保存操作により一時的にファイル保存画面５０１１へ遷移して、保存先としてデータ端末本体のメモリか外部メモリカードかを利用者に選択させて、選択された記憶媒体に稼動時間データを保存する。その後、保存が正常に完了したか否かを利用者に知らしめる。保存が正常に完了した場合、稼動時間モニタ画面５００８へ戻る。保存が失敗した場合は、利用者に再試行またはキャンセルを選択させて、再試行が選択された場合は再度、保存を試みる。キャンセルが選択された場合は、元の稼動時間モニタ画面５００８へ戻る。
【０１０８】
利用者が稼動時間のモニタリングを終了する場合は、メニュー操作によりアプリケーションプログラムメインメニュー画面５００２に遷移する。
【０１０９】
利用者が保守対象の装置の保守履歴を確認・登録する場合は、保守履歴確認・登録機能の選択により、保守履歴確認・登録画面５００９へ遷移する。保守履歴確認・登録画面５００９は、保守履歴データを表示する。利用者が表示した保守履歴データに追加記入する場合は、実施した保守内容などをキー入力した後、登録操作により赤外線通信を起動して、保守対象の親局装置１または子局装置３１、３２と赤外線通信接続する。
【０１１０】
この時、一時的に赤外線通信状態表示画面５０１０に遷移して、赤外線通信が正常に行われているかを利用者に知らしめる。赤外線通信が正常完了した場合、保守履歴確認・登録画面５００９へ戻り、更新した保守履歴データを表示する。赤外線通信が異常タイムアウトした場合は、利用者に再試行またはキャンセルを選択させて、再試行が選択された場合は赤外線通信の再起動を行い、キャンセルが選択された場合は元の保守履歴確認・登録画面５００９へ戻る。
【０１１１】
利用者が表示した保守履歴データを保存する場合は、保存操作により一時的にファイル保存画面５０１１へ遷移して、保存先としてデータ端末本体のメモリか外部メモリカードかを利用者に選択させて、選択された記憶媒体に保守履歴データを保存する。その後、保存が正常に完了したか否かを利用者に知らしめる。保存が正常に完了した場合、保守履歴確認・登録画面５００９へ戻る。保存が失敗した場合は、利用者に再試行またはキャンセルを選択させて、再試行が選択された場合は再度、保存を試みる。キャンセルが選択された場合は、元の保守履歴確認・登録画面５００９へ戻る。
【０１１２】
利用者が保守履歴の確認・登録を終了する場合は、メニュー操作によりアプリケーションプログラムメインメニュー画面５００２に遷移する。
【０１１３】
利用者が保守対象の装置の保守情報をアップロードする場合は、保守情報アップロード機能の選択により、保守情報アップロード画面５０１２へ遷移する。保守情報アップロード画面５０１２は、アップロードしたいファイルを利用者に選択させる。複数のファイルの選択も可能である。顧客名、機場名などの情報をキー入力させた後、アップロード操作により、携帯電話無線通信を起動してインターネット網９を介して保守データサーバ８と通信接続し、選択されたファイルをアップロードする。
【０１１４】
この時、一時的に携帯電話無線通信状態表示画面５０１３に遷移して、携帯電話無線通信が正常に行われているかを利用者に知らしめる。携帯電話無線通信が正常完了した場合、保守情報アップロード画面５０１２へ戻る。携帯電話無線通信が異常タイムアウトした場合は、利用者に再試行またはキャンセルを選択させて、再試行が選択された場合は携帯電話無線通信の再起動を行い、キャンセルが選択された場合は元の保守情報アップロード画面５０１２へ戻る。
【０１１５】
利用者が保守情報のアップロードを終了する場合は、メニュー操作によりアプリケーションプログラムメインメニュー画面５００２に遷移する。
【０１１６】
利用者がアプリケーションプログラムの動作設定を確認・変更する場合は、アプリケーション動作設定機能の選択により、アプリケーション動作設定画面５０１４へ遷移する。アプリケーション動作設定画面５０１４は、アプリケーションプログラムの各種動作設定、たとえば、アップロード先の設定や赤外線通信の認証設定、赤外線通信のタイムアウト時間設定などの現在値を表示する。アプリケーションプログラムの各種動作設定を変更する場合は、変更したい箇所を利用者に選択させて、変更値をキー入力させた後、変更を保存する。
【０１１７】
利用者がアプリケーション動作設定を終了する場合は、メニュー操作によりアプリケーションプログラムメインメニュー画面５００２に遷移する。
【０１１８】
利用者がアプリケーションプログラムの動作説明や操作方法を知りたい場合は、ヘルプ機能の選択により、ヘルプサブメニュー画面５０１５へ遷移する。ヘルプサブメニュー画面５０１５は、アプリケーションプログラムの各機能や操作の見出し語を表示し、利用者が閲覧したい見出し語を選択すると、ヘルプ画面５０１６へ遷移する。
【０１１９】
ヘルプ画面５０１６は、利用者が選択した見出し語に該当する機能や操作方法の説明を表示する。
【０１２０】
利用者がヘルプ機能を終了する場合は、メニュー操作によりヘルプ画面５０１６からヘルプサブメニュー画面５０１５へ遷移する。さらにメニュー操作により、アプリケーションプログラムメインメニュー画面５００２に遷移する。
【図面の簡単な説明】
【０１２１】
【図１】本発明の実施例における遠方監視制御装置のシステム構成を示す図。
【図２】本発明の実施例における親局装置の構成の一例を示す図。
【図３】本発明の実施例における子局装置の構成の一例を示す図。
【図４】本発明の実施例における保守作業中の運用方法の一例を示す図。
【図５】本発明の実施例における伝送タイムチャートの一例を示す図。
【図６】本発明の実施例における携帯電話タイプ保守用データ端末の構成の一例を示す図。
【図７】本発明の実施例におけるアプリケーションプログラム配信と保守情報管理の運用形態の一例を示す図。
【図８】本発明の実施例における保守用データ端末の画面遷移の一例を示す図。
【符号の説明】
【０１２２】
１…親局装置、６…中央監視制御所ネットワーク、７…オペレータズコンソール、８…保守データサーバ、９…インターネット網、２１、２２…広域通信網、３１、３２…子局装置、５１…親局側携帯電話タイプ保守用データ端末、５２…親局側ノート型ＰＣタイプ保守用データ端末、５３…子局側携帯電話タイプ保守用データ端末、５４…子局側ノート型ＰＣタイプ保守用データ端末、５５…模擬信号発生装置、１００…電源部、１０１…演算回路部、１０２…上位ネットワークインタフェース、１０３…保守用通信インタフェース、１０４…保守用近距離無線通信インタフェース、１１１、１１２…対子局通信インタフェース、３１０…電源部、３１１…演算回路部、３１２…対親局通信インタフェース、３１３…保守用通信インタフェース、３１４…保守用近距離無線通信インタフェース、３１５…アナログ入力部、３１６…ディジタル入力部、３１７…パルス入力部、３１８…ディジタル出力部、３１９…アナログ出力部、４１１、４１２…アナログ計測機器、４２１、４２２…状態監視センサ、４３１、４３２…操作器、４４１…パルス計測機器、４５１…調節計、５１１…アンテナ、５１２…無線信号処理部、５１３…アナログベースバンド処理部、５１４…通話用スピーカ、５１５…通話用マイク、５１６…デジタルベースバンド処理プロセッサ、５１７…液晶表示器、５１８…液晶表示コントローラ、５１９…キースイッチ群、５２０…キースイッチ入力部、５２１…フラッシュＲＯＭ、５２２…ＳＲＡＭ、５２３…アプリケーション処理プロセッサ、５２４…フラッシュＲＯＭ、５２５…ＳＲＡＭ、５２６…赤外線通信用発光／受光部、５２７…赤外線通信コントローラ、５２８…外部メモリカード、５２９…外部メモリインタフェース、５３０…電源コントローラ、５３１…外部電源コネクタ、５３２…バッテリ。
【図１】
2010081175.tif 000003
【図２】
2010081175.tif 000004
【図３】
2010081175.tif 000005
【図４】
2010081175.tif 000006
【図５】
2010081175.tif 000007
【図６】
2010081175.tif 000008
【図７】
2010081175.tif 000009
【図８】
2010081175.tif 000010